(57)【要約】【課題】  水銀の付着した粉じんおよび水銀蒸気を効率良く回収するとともに、周辺環境にも影響を与えない水銀回収装置を提供する。【解決手段】  水銀回収装置１０は、水銀の付着した粉じんおよび水銀蒸気を吸引するための吸気口１４を有する集じん装置１１と、集じん装置１１の後段にあって、集じん装置１１の排気に含まれる水銀蒸気を吸着除去する水銀吸着塔１３と、集じん装置１１と水銀吸着塔１３との間に備えられたファン１２とから構成される。【選択図】      図１
2005144219.tif 000002
【特許請求の範囲】
【請求項１】
水銀の付着した粉じんを回収する集じん装置と、当該集じん装置の後段にあって、当該集じん装置から排気される水銀蒸気を吸着除去する水銀吸着塔とを備えることを特徴とする水銀回収装置。
【請求項２】
前記水銀吸着塔は、底部にエアーチャンバーを備え、当該エアーチャンバーが前記水銀吸着塔内に充填された活性炭と接する面はメッシュ状になっていることを特徴とする請求項１に記載の水銀回収装置。
【請求項３】
前記集じん装置に代えて、吸引掃除機を備えていることを特徴とする請求項１または２に記載の水銀回収装置。
【請求項４】
前記集じん装置と前記水銀吸着塔との間に、水銀の付着した粉じんおよび／または水銀蒸気を吸引するためのファンを備えることを特徴とする請求項１乃至３のいずれかに記載の水銀回収装置。
【請求項５】
前記水銀吸着塔の後段に、水銀の付着した粉じんおよび／または水銀蒸気を吸引するためのファンを備えることを特徴とする請求項１乃至３のいずれかに記載の水銀回収装置。
【発明の詳細な説明】
【技術分野】
【０００１】
本発明は、水銀回収装置に関し、特に、建物内に水銀蒸気が充満するとともに、建物内側のコンクリートにも水銀が浸透している建物の解体工事において使用する水銀回収装置に関する。
【背景技術】
【０００２】
従来から、比重が大きいうえに有害な水銀の回収には活性炭が利用されている（例えば、特許文献１参照。）。図５は、活性炭の吸着作用を利用した水銀吸着塔の概略構造を示したものであるが、活性炭３ｃが充填された円筒容器からなる水銀吸着塔３内の底部に孔明きパイプ３ａを有するとともに、水銀吸着塔３の上面に排気口３ｄを有する構造になっている。孔明きパイプ３ａ端部の吸気口３ｂから吸引された水銀蒸気は、孔明きパイプ３ａの外周面に設けられた複数の孔３ｅから放出し、水銀吸着塔３内の活性炭３ｃに吸着する。一方、浄化された空気は排気口３ｄから外気へ放出される。
【特許文献１】特開平９−４９６２５号公報  （第２−３頁、第１図）
【発明の開示】
【発明が解決しようとする課題】
【０００３】
建物内に水銀蒸気が充満するとともに、建物内側のコンクリートにも水銀が浸透している建物の解体工事では、水銀の付着した粉じんが大量に発生する。しかし、従来の水銀吸着塔は、水銀蒸気のみを化学的に除去する装置であるため、粒子状の粉じんに付着した水銀は除去することができない。また、粉じんが水銀吸着塔内に入ると、活性炭に粉じん粒子が付着し、水銀吸着塔の能力低下を来たしてしまう。
さらに、従来の水銀吸着塔は、活性炭が充填された円筒の容器に孔のあいたパイプを入れただけの構造であるため、活性炭内の水銀蒸気の流れが不均一となり、活性炭に水銀蒸気を十分に接触させることができず、処理速度も遅いという問題があった。
本発明は、上述する問題点に鑑みてなされたもので、水銀の付着した粉じんおよび水銀蒸気を効率良く回収するとともに、周辺環境にも影響を与えない水銀回収装置を提供することを目的とする。
【課題を解決するための手段】
【０００４】
上記目的を達成するため、本発明に係る水銀回収装置では、水銀の付着した粉じんを回収する集じん装置と、当該集じん装置の後段にあって、当該集じん装置から排気される水銀蒸気を吸着除去する水銀吸着塔とを備えることを特徴とする。
本発明では、水銀吸着塔の前段に集じん装置を備えることにより、発生する殆どの粉じんを集じん装置で回収するとともに、集じん装置から放出される水銀蒸気は水銀吸着塔で吸着除去することができる。
【０００５】
また、本発明に係る水銀回収装置では、底部にエアーチャンバーを備え、当該エアーチャンバーが前記水銀吸着塔内に充填された活性炭と接する面がメッシュ状になった水銀吸着塔を備えていることが好ましい。
本発明では、水銀吸着塔の底部にエアーチャンバー（空気だまり）を設けるとともに、当該エアーチャンバーが活性炭と接する面をメッシュ状とすることにより、効率的に水銀蒸気を活性炭に接触させることができる。その結果、水銀吸着塔の処理能力の向上が図れるものである。
【０００６】
また、本発明に係る水銀回収装置では、前記集じん装置に代えて、吸引掃除機を備えていてもよい。
本発明では、集じん装置に代えて、吸引掃除機を使用することにより、簡便な水銀回収装置を実現することができる。
【０００７】
また、本発明に係る水銀回収装置では、前記集じん装置と前記水銀吸着塔との間に、水銀の付着した粉じんおよび／または水銀蒸気を吸引するためのファンを備えていてもよい。
本発明では、ファンの吸引力を利用して、水銀の付着した粉じんおよび／または水銀蒸気を吸引するものである。
また、本発明に係る水銀回収装置では、前記集じん装置と前記水銀吸着塔との間ではなく、前記水銀吸着塔の後段にファンを備えていてもよい。ファンを水銀吸着塔の後段に配した場合、ファンが水銀によって汚染されることがなくなる。
【発明の効果】
【０００８】
本発明によれば、水銀吸着塔の前段に集じん装置を備えることにより、水銀の付着した粉じんおよび水銀蒸気を効率良く回収するとともに、周辺環境にも影響を与えない水銀回収装置を実現することができる。
【発明を実施するための最良の形態】
【０００９】
以下、本発明に係る水銀回収装置の実施形態について、図面に基いて説明する。
図１は、本発明に係る水銀回収装置の第一の実施形態を示す模式図である。
図１に示すように、本実施形態による水銀回収装置１０では、水銀の付着した粉じんおよび水銀蒸気を吸引するための吸気口１４を有する集じん装置１１と、集じん装置１１の後段にあって、集じん装置１１の排気に含まれる水銀蒸気を吸着除去する水銀吸着塔１３と、集じん装置１１と水銀吸着塔１３との間に備えられたファン１２とから構成される。
【００１０】
図２は、本発明に係る水銀吸着塔の概略構造を示したものである。
本発明に係る水銀吸着塔１３では、円筒容器からなる水銀吸着塔１３の底部にエアーチャンバー１３ａが設けられている。そして、エアーチャンバー１３ａの側面に吸気口１３ｂを有するとともに、水銀吸着塔１３の上面中央部に排気口１３ｄを有している。エアーチャンバー１３ａを除く水銀吸着塔１３内には活性炭１３ｃが充填されており、エアーチャンバー１３ａが活性炭１３ｃと接する面は全面メッシュ１３ｅになっている。
吸気口１３ｂから吸引された水銀蒸気は、エアーチャンバー１３ａ上面のメッシュ１３ｅから放出され、水銀吸着塔３内の活性炭３ｃに吸着する。一方、浄化された空気は排気口１３ｄから外気へ放出される。
従来の水銀吸着塔では、孔のあいたパイプから水銀蒸気を放出していたため、水銀蒸気を活性炭に十分接触させることができなかったが、本発明に係る水銀吸着塔１３では、エアーチャンバー１３ａ上面のメッシュ１３ｅから放出した水銀蒸気が活性炭１３ｃと接触するため、活性炭１３ｃに水銀蒸気を十分接触させることができる。因みに、従来の水銀吸着塔と本発明に係る水銀吸着塔１３との性能を比較すると、従来の水銀吸着塔の仕様は、処理速度４ｍ３／分、濾過速度０．１８ｍ／ｓ、活性炭量２００ｋｇ、除去率９９％程度であるのに対し、本発明に係る水銀吸着塔１３では、処理速度８ｍ３／分、濾過速度０．５８ｍ／ｓ、活性炭量４０ｋｇ、除去率９９％以上であり、処理能力が向上するうえに経済的でもあることがわかる。
【００１１】
次に、本発明に係る水銀回収装置１０の作用について説明する。
水銀の付着した粉じんおよび水銀蒸気は吸気口１４から吸引され、先ず、集じん装置１１によって、粉じんが回収される。回収された粉じんは有害廃棄物として処理される。一方、集じん装置１１から放出される排気は、ファン１２を介して、水銀吸着塔１３へ送り込まれる。水銀吸着塔１３では、排気中に含まれる水銀蒸気が吸着処理され、浄化された空気は大気へ放出される。
【００１２】
本実施形態による水銀回収装置１０では、水銀吸着塔１３の前段に集じん装置１１を備えることにより、発生する殆どの粉じんを集じん装置１１で回収するとともに、集じん装置１１から放出される水銀蒸気は水銀吸着塔１３で吸着除去することができる。
【００１３】
図３は、本発明に係る水銀回収装置の第二の実施形態を示す模式図である。
図３に示すように、本実施形態による水銀回収装置２０では、飛散した水銀を吸引するための吸気口２４を有する吸引掃除機２１と、吸引掃除機２１の後段にあって、吸引掃除機２１の排気に含まれる水銀蒸気を吸着除去する水銀吸着塔２３と、吸引掃除機２１と水銀吸着塔２３との間に備えられたファン２２とから構成される。
吸引掃除機２１は、吸引掃除機２１の排気口から放出される気化水銀が大気中に拡散しないように、金属箱２５内に収納され、ファン２２によって、金属箱２５内は常に負圧に保たれている。また、金属箱２５には、外気を流入させるために、隙間のある蓋２６が被せられている。
因みに、吸引掃除機２１として、工業用の掃除機（３ｍ３／分）を使用した実験では、目に見える水銀は容易に回収され、排気口の水銀濃度もゼロであった。また、一般ゴミと混在した微細な水銀もゴミと一緒に回収することができた。
本実施形態による水銀回収装置２０では、集じん装置１１に代えて、吸引掃除機２１を使用することにより、簡便な水銀回収装置２０を実現することができる。
【００１４】
図４は、本発明に係る水銀回収装置の第三の実施形態を示す模式図である。
図４に示すように、本実施形態による水銀回収装置３０では、水銀の付着した粉じんおよび水銀蒸気を吸引するための吸気口３４を有する集じん装置３１と、集じん装置３１の後段にあって、集じん装置３１の排気に含まれる水銀蒸気を吸着除去する水銀吸着塔３３と、水銀吸着塔３３の後段に備えられたファン３２とから構成される。
本実施形態による水銀回収装置３０では、水銀吸着塔３３の後段にファン３２を配しているため、ファン３２が水銀に汚染されることがなくなるものである。
【００１５】
以上、本発明に係る水銀回収装置の実施形態について説明したが、本発明は上記の実施形態に限定されるものではなく、その趣旨を逸脱しない範囲で適宜変更可能である。例えば、第二の実施形態では、吸引掃除機と水銀吸着塔との間にファンを設置しているが、それに代えて、水銀吸着塔の後段にファンを設置してもよいことは言うまでもない。また、第二の実施形態では、吸引掃除機の吸引能力が大きい場合には、ファンを設けずに、吸引掃除機と水銀吸着塔を直結してもよい。
【図面の簡単な説明】
【００１６】
【図１】本発明に係る水銀回収装置の第一の実施形態を示す模式図である。
【図２】本発明に係る水銀吸着塔の概略構造図である。
【図３】本発明に係る水銀回収装置の第二の実施形態を示す模式図である。
【図４】本発明に係る水銀回収装置の第三の実施形態を示す模式図である。
【図５】従来の水銀吸着塔の概略構造図である。
【符号の説明】
【００１７】
１０、２０、３０  水銀回収装置
１１、３１  集じん装置
１２、２２、３２  ファン
３、１３、２３、３３  水銀吸着塔
１４、２４、３４  吸気口
２１  吸引掃除機
２５  金属箱
２６  蓋
【図１】
2005144219.tif 000003
【図２】
2005144219.tif 000004
【図３】
2005144219.tif 000005
【図４】
2005144219.tif 000006
【図５】
2005144219.tif 000007